(57)【要約】  伝送路（Ｌ１）において発生するアークを検出するアーク検出回路（１０）は、伝送路（Ｌ１）から分岐した経路（Ｌ２）に配置され、伝送路（Ｌ１）を流れる信号に含まれる交流成分の信号を伝送路（Ｌ１）から経路（Ｌ２）へ流すコンデンサ（Ｃ１）と、経路（Ｌ２）において、コンデンサ（Ｃ１）と直列接続され、交流成分の信号に対応した電圧信号を発生する抵抗（Ｒ１）と、抵抗（Ｒ１）に発生した電圧信号が入力され、アークに対応した周波数の信号を通過させるフィルタ部（１２）と、フィルタ部（１２）を通過した信号に基づいて、アークの発生を判定するアーク判定部（１１）と、を備える。
2019208027.tif 000002
【特許請求の範囲】
【請求項１】
伝送路において発生するアークを検出するアーク検出回路であって、
前記伝送路から分岐した経路に配置され、前記伝送路を流れる信号に含まれる交流成分の信号を前記伝送路から前記経路へ流すコンデンサと、
前記経路において、前記コンデンサと直列接続され、前記交流成分の信号に対応した電圧信号を発生する抵抗と、
前記抵抗に発生した前記電圧信号が入力され、アークに対応した周波数の信号を通過させるフィルタ部と、
前記フィルタ部を通過した信号に基づいて、アークの発生を判定するアーク判定部と、を備える、
アーク検出回路。
【請求項２】
前記伝送路には、直流電力を交流電力に変換する電力変換器が接続され、
前記経路における前記コンデンサと前記抵抗とが直列接続された回路は、前記電力変換器が接続されたグランドとは電気的に絶縁されたグランドに接続される、
請求項１に記載のアーク検出回路。
【請求項３】
前記伝送路には、直流電力を交流電力に変換する電力変換器が接続され、
前記経路における前記コンデンサと前記抵抗とが直列接続された回路は、前記電力変換器と並列に接続される、
請求項１に記載のアーク検出回路。
【請求項４】
前記アーク検出回路は、さらに、前記経路において、前記コンデンサおよび前記抵抗と直列接続されたダイオードを備える、
請求項１〜３のいずれか１項に記載のアーク検出回路。
【請求項５】
請求項１〜４のいずれか１項に記載のアーク検出回路を備える、
ブレーカ。
【請求項６】
請求項１〜４のいずれか１項に記載のアーク検出回路を備える、
パワーコンディショナ。
【請求項７】
請求項１〜４のいずれか１項に記載のアーク検出回路を備える、
太陽光パネル。
【請求項８】
請求項１〜４のいずれか１項に記載のアーク検出回路を備え、
太陽光パネルから出力される信号の変換を行う、
太陽光パネル付属モジュール。
【請求項９】
請求項１〜４のいずれか１項に記載のアーク検出回路を備え、
太陽光パネルとパワーコンディショナとを接続する、
接続箱。
【発明の詳細な説明】
【技術分野】
【０００１】
本発明は、伝送路におけるアークを検出するアーク検出回路等に関する。
【背景技術】
【０００２】
従来、ＰＶ（Ｐｈｏｔｏ  Ｖｏｌｔａｉｃ）パネル（太陽光パネル）などの電力供給装置から伝送路を介して供給される直流電力をパワーコンディショナ（パワコン）で交流電力に変換するシステムが知られている。ＰＶパネルとパワコンを接続する伝送路は、外的要因や経年劣化等によって損傷、破断を引き起こすことが報告されている。このような伝送路の損傷等に起因してアーク（つまりアーク放電）が発生する場合がある。そこで、アークを検出するためのアーク検出手段が提案されている（例えば、特許文献１）。特許文献１に開示されたアーク検出手段においては、伝送路に印加される電圧および電流に基づいてアークを検出しようとしている。
【先行技術文献】
【特許文献】
【０００３】
【特許文献１】特開２０１１−７７６５号公報
【発明の概要】
【発明が解決しようとする課題】
【０００４】
ところで、アークが発生したときに伝送路を流れる信号には、交流成分であるアークだけでなく、電力供給装置からの直流成分も含まれている。当該直流成分は、アーク（交流成分）の検出の際には不要な成分となり、当該直流成分の影響を受けてアークを正確に検出できないことがある。【０００５】
そこで、本発明は、伝送路において発生するアークを正確に検出できるアーク検出回路等を提供することを目的とする。
【課題を解決するための手段】
【０００６】
上記目的を達成するために、本発明に係るアーク検出回路の一態様は、伝送路において発生するアークを検出するアーク検出回路であって、前記伝送路から分岐した経路に配置され、前記伝送路を流れる信号に含まれる交流成分の信号を前記伝送路から前記経路へ流すコンデンサと、前記経路において、前記コンデンサと直列接続され、前記交流成分の信号に対応した電圧信号を発生する抵抗と、前記抵抗に発生した前記電圧信号が入力され、アークに対応した周波数の信号を通過させるフィルタ部と、前記フィルタ部を通過した信号に基づいて、アークの発生を判定するアーク判定部と、を備える。【０００７】
また、上記目的を達成するために、本発明に係るブレーカの一態様は、上記のアーク検出回路を備える。【０００８】
また、上記目的を達成するために、本発明に係るパワーコンディショナの一態様は、上記のアーク検出回路を備える。【０００９】
また、上記目的を達成するために、本発明に係る太陽光パネルの一態様は、上記のアーク検出回路を備える。【００１０】
また、上記目的を達成するために、本発明に係る太陽光パネル付属モジュールの一態様は、上記のアーク検出回路を備え、太陽光パネルから出力される信号の変換を行う。【００１１】
また、上記目的を達成するために、本発明に係る接続箱の一態様は、上記のアーク検出回路を備え、太陽光パネルとパワーコンディショナとを接続する。
【発明の効果】
【００１２】
本発明の一態様によれば、伝送路において発生するアークを正確に検出できる。
【図面の簡単な説明】
【００１３】
【図１】図１は、実施の形態１に係るアーク検出回路が適用されたシステムの一例を示す構成図である。
【図２】図２は、実施の形態１に係るアーク検出回路が適用されたシステムの他の一例を示す構成図である。
【図３】図３は、比較例に係るアーク検出回路が適用されたシステムの一例を示す構成図である。
【図４】図４は、実施の形態２に係るアーク検出回路が適用されたシステムの一例を示す構成図である。
【図５】図５は、各実施の形態に係るアーク検出回路の適用例を説明するための図である。
【発明を実施するための形態】
【００１４】
以下、本発明の実施の形態について、図面を参照しながら説明する。以下に説明する実施の形態は、いずれも本発明の一具体例を示すものである。したがって、以下の実施の形態で示される数値、形状、材料、構成要素、構成要素の配置位置および接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１５】
なお、各図は、模式図であり、必ずしも厳密に図示されたものではない。また、各図において、実質的に同一の構成に対しては同一の符号を付しており、重複する説明は省略または簡略化する。
【００１６】
（実施の形態１）
実施の形態１に係るアーク検出回路について、図面を用いて説明する。
【００１７】
図１は、実施の形態１に係るアーク検出回路１０が適用されたシステムの一例を示す構成図である。
【００１８】
アーク検出回路１０は、電力供給装置から電力変換器への電力の伝送路Ｌ１において発生するアークを検出する回路である。アーク検出回路１０は、コンデンサＣ１、抵抗Ｒ１、アーク判定部１１およびフィルタ部１２を備える。
【００１９】
図１に示されるように、伝送路Ｌ１には、電力変換器５０が接続される。本実施の形態では、電力変換器５０は、例えば、パワーコンディショナ（パワコン）が有する構成の一部である。電力変換器５０は、太陽光パネル３１から伝送路Ｌ１を介して供給される直流電力を交流電力に変換する。電力変換器５０は、例えばＭＰＰＴ（Ｍａｘｉｍｕｍ  Ｐｏｗｅｒ  Ｐｏｉｎｔ  Ｔｒａｃｋｉｎｇ）方式を採用しており、太陽光パネル３１から供給される直流電力の電流および電圧を、それぞれ電力が最大となる値に調整する。例えば、電力変換器５０は電圧１００Ｖ、周波数５０Ｈｚまたは６０Ｈｚの交流電力に変換する。当該交流電力は、家庭用電気機器等で使用される。
【００２０】
伝送路Ｌ１は、外的要因や経年劣化等によって損傷、破断を引き起こすことが報告されている。このような伝送路Ｌ１の損傷等に起因してアーク（つまりアーク放電）が発生する場合がある。
【００２１】
コンデンサＣ１は、伝送路Ｌ１から分岐した経路Ｌ２に配置され、伝送路Ｌ１を流れる信号に含まれる交流成分の信号を伝送路Ｌ１から経路Ｌ２へ流すコンデンサである。コンデンサＣ１は、直流成分を遮断する機能を有するため、伝送路Ｌ１を流れる信号から交流成分のみを抽出して、経路Ｌ２に流すことができる。コンデンサＣ１のキャパシタンス値は、抽出したい交流成分の周波数等に応じて適宜決定される。なお、電力変換器５０に設けられているコンデンサが、電力変換器５０が有する交流電力への変換回路（インバータ等）の前段において伝送路Ｌ１から分岐した経路に配置されている場合には、当該コンデンサを、コンデンサＣ１として流用してもよい。
【００２２】
抵抗Ｒ１は、経路Ｌ２において、コンデンサＣ１と直列接続され、交流成分の信号に対応した電圧信号を発生する、微小な抵抗値を有する抵抗素子である。当該電圧信号は、交流成分の信号（電流）が抵抗Ｒ１を流れることで、抵抗Ｒ１に生じる電位差を示す信号である。当該電位差は、経路Ｌ２を流れる電流に相当する値となるため、抵抗Ｒ１は、電流センサとして機能する。電流センサとして、ＩＣ（Ｉｎｔｅｒｇｒａｔｅｄ  Ｃｉｒｃｕｉｔ）等のセンサを用いた場合、アーク検出回路１０は、大型化してしまい、コストもかかる。例えば、電流センサとして、ホール素子等を用いた場合、ホール素子自体が抵抗Ｒ１よりも大きい場合が多く、また、別途磁気コア等も必要となるため、アーク検出回路１０は、大型化してしまい、コストもかかる。これに対して、抵抗Ｒ１を用いることで、小型化、低コスト化を実現できる。
【００２３】
例えば、経路Ｌ２におけるコンデンサＣ１と抵抗Ｒ１とが直列接続された回路は、電力変換器５０と並列に接続される。具体的には、経路Ｌ２の一端が、太陽光パネル３１から電力変換器５０へ電流が流れ込む伝送路Ｌ１に接続され、経路Ｌ２の他端が、電力変換器５０から太陽光パネル３１へ電流が戻る伝送路Ｌ３に接続されることで、経路Ｌ２において直列接続されたコンデンサＣ１と抵抗Ｒ１とは、電力変換器５０と並列に接続される。例えば、伝送路Ｌ１側にコンデンサＣ１が配置され、伝送路Ｌ３側に抵抗Ｒ１が配置される。なお、伝送路Ｌ３側にコンデンサＣ１が配置され、伝送路Ｌ１側に抵抗Ｒ１が配置されてもよい。
【００２４】
フィルタ部１２は、抵抗Ｒ１に発生した電圧信号が入力され、アークに対応した周波数の信号を通過させるフィルタを有する。アークは、特定の広帯域周波数で発生するため、当該フィルタは、アーク判定に用いる周波数以外の信号を遮断する。当該フィルタは、例えば、ＲＬＣフィルタ等であるが、特に限定されない。当該フィルタの通過帯域は、発生し得るアークの周波数およびアーク以外のノイズの周波数等に応じて適宜決定される。
【００２５】
アーク判定部１１は、フィルタ部１２を通過した信号に基づいて、アークの発生を判定する。アーク判定部１１は、例えばＡＤ変換機能を有するマイコン（マイクロコントローラ）により実現され、例えば抵抗Ｒ１において生じた電圧を、フィルタ部１２を介して取得する。マイコンは、プログラムが格納されたＲＯＭ、ＲＡＭ、プログラムを実行するプロセッサ（ＣＰＵ：Ｃｅｎｔｒａｌ  Ｐｒｏｃｅｓｓｉｎｇ  Ｕｎｉｔ）、タイマ、Ａ／Ｄ変換器、Ｄ／Ａ変換器等を有する半導体集積回路等である。なお、フィルタ部１２は、増幅回路を有していてもよい。これにより、抵抗Ｒ１において生じた電圧の大きさをアーク判定部１１のＡＤ変換機能に対応した大きさに増幅することができ、アーク判定部１１が正しく当該電圧をＡＤ変換できる。
【００２６】
例えば、アーク検出回路が伝送路Ｌ１を流れる信号から直接アークの発生を判定する場合、アーク検出にとって不要な直流成分を含む当該信号からアークを検出する必要があり、当該直流成分によってアークを正確に検出できないことがある。また、当該直流成分が抵抗Ｒ１に流れるため、抵抗Ｒ１として、高耐圧の抵抗を用意する必要がある。
【００２７】
これに対して、本実施の形態では、伝送路Ｌ１から分岐した経路Ｌ２にコンデンサＣ１（アーク検出回路１０）が配置されることで、アークが発生していない通常時には、コンデンサＣ１（アーク検出回路１０）の影響を受けることなく、太陽光パネル３１等の電力供給装置から電力変換器５０へ直流電力を供給することができる。そして、アークが発生したときには、コンデンサＣ１によって、アーク（交流成分）のみを抽出して、経路Ｌ２に流すことができる。つまり、伝送路Ｌ１にアークが発生した際には、当該直流成分の影響を受けずにアークの発生を検出できるため、アークを正確に検出できる。また、直流成分は抵抗Ｒ１に流れないため、抵抗Ｒ１として低耐圧の抵抗（つまり小型な抵抗）を用いることができ、アーク検出回路１０を小型化できる。
【００２８】
なお、経路Ｌ２におけるコンデンサＣ１と抵抗Ｒ１とが直列接続された回路は、電力変換器５０と並列に接続されたが、これに限らない。例えば、コンデンサＣ１と抵抗Ｒ１とが直列接続された回路は、図２のように接続されてもよい。
【００２９】
図２は、実施の形態１に係るアーク検出回路１０が適用されたシステムの他の一例を示す構成図である。
【００３０】
図２に示されるように、経路Ｌ２におけるコンデンサＣ１と抵抗Ｒ１とが直列接続された回路はグランドに接続される。つまり、経路Ｌ２は、伝送路Ｌ３に接続されない。当該グランドは、電力変換器５０が接続されたグランドとは電気的に絶縁されたグランドである。例えば、伝送路Ｌ１側にコンデンサＣ１が配置され、グランド側に抵抗Ｒ１が配置される。なお、グランド側にコンデンサＣ１が配置され、伝送路Ｌ１側に抵抗Ｒ１が配置されてもよい。なお、伝送路Ｌ１側に抵抗Ｒ１が配置される場合、抵抗Ｒ１として、伝送路Ｌ１を介して印加される電圧に対して十分な耐圧特性を有するものを選択してもよい。抵抗Ｒ１の耐圧特性が低いと抵抗Ｒ１が破壊されるおそれがあり、それに伴い、アーク検出回路１０における電子部品も破壊されるおそれがあるためである。
【００３１】
電力変換器５０は、直流電力を交流電力に変換する際のノイズを発生したり、アークが発生している信号が入力された場合、当該アーク成分をノイズとして発生したりする。図１に示されるシステムでは、経路Ｌ２は伝送路Ｌ３に接続されていたため、電力変換器５０からのノイズ成分が抵抗Ｒ１に伝わって、抵抗Ｒ１にノイズ成分に応じた電圧も生じてしまう可能性があった。つまり、抵抗Ｒ１に生じる電圧からアークの発生を判定するアーク判定部１１のアークの発生の判定の際に、当該ノイズ成分の影響を受けてしまう可能性があった。
【００３２】
これに対して、コンデンサＣ１と抵抗Ｒ１とが直列接続された回路が接続されるグランドは、電力変換器５０が接続されたグランドとは電気的に絶縁されたグランドであるため、抵抗Ｒ１と電力変換器５０とは電気的に絶縁されることになる。したがって、上記ノイズ成分が抵抗Ｒ１に伝わりにくくなるため、伝送路Ｌ１において発生するアークをより正確に検出できる。
【００３３】
以上説明したように、本実施の形態に係るアーク検出回路１０は、伝送路Ｌ１において発生するアークを検出するアーク検出回路である。アーク検出回路１０は、伝送路Ｌ１から分岐した経路Ｌ２に配置され、伝送路Ｌ１を流れる信号に含まれる交流成分の信号を伝送路Ｌ１から経路Ｌ２へ流すコンデンサＣ１と、経路Ｌ２において、コンデンサＣ１と直列接続され、交流成分の信号に対応した電圧信号を発生する抵抗Ｒ１と、を備える。また、アーク検出回路１０は、抵抗Ｒ１に発生した電圧信号が入力され、アークに対応した周波数の信号を通過させるフィルタ部１２と、フィルタ部１２を通過した信号に基づいて、アークの発生を判定するアーク判定部１１と、を備える。
【００３４】
これによれば、アークが発生していない通常時には、コンデンサＣ１の影響を受けることなく、伝送路Ｌ１から直流電力を供給することができる。そして、アークが発生したときには、コンデンサＣ１によって、伝送路Ｌ１からアーク（交流成分）のみを抽出して、経路Ｌ２に流すことができる。つまり、アーク判定部１１は、当該直流成分の影響を受けずにアークの発生を検出でき、伝送路Ｌ１において発生するアークを正確に検出できる。また、アークの検出の際の電流センサとして、ＩＣ等と比べて小型な抵抗Ｒ１を用いるため、アーク検出回路１０を小型化できる。また、コンデンサＣ１と直列接続された抵抗Ｒ１には、直流成分が流れにくいため、抵抗Ｒ１として、低耐圧の抵抗を用いることができ、アーク検出回路１０をさらに小型化できる。
【００３５】
また、伝送路Ｌ１には、直流電力を交流電力に変換する電力変換器が接続され、経路Ｌ２におけるコンデンサＣ１と抵抗Ｒ１とが直列接続された回路は、電力変換器が接続されたグランドとは電気的に絶縁されたグランドに接続されてもよい。
【００３６】
これによれば、コンデンサＣ１と抵抗Ｒ１とが直列接続された回路が接続されるグランドは、電力変換器５０が接続されたグランドとは電気的に絶縁されたグランドであるため、抵抗Ｒ１と電力変換器５０とは電気的に絶縁されることになる。したがって、電力変換器５０において発生するノイズ成分が抵抗Ｒ１に伝わりにくくなるため、伝送路Ｌ１において発生するアークをより正確に検出できる。
【００３７】
また、伝送路Ｌ１には、直流電力を交流電力に変換する電力変換器が接続され、経路Ｌ２におけるコンデンサＣ１と抵抗Ｒ１とが直列接続された回路は、電力変換器と並列に接続されてもよい。
【００３８】
このように、抵抗Ｒ１が電力変換器５０と電気的に絶縁されていなくてもよく、電気的に絶縁するための設計上の手間を省くことができる。
【００３９】
なお、抵抗Ｒ１の代わりに他の電流センサが配置されてもよい。
【００４０】
図３は、比較例に係るアーク検出回路１００が適用されたシステムの一例を示す構成図である。
【００４１】
図３に示される比較例では、抵抗Ｒ１の代わりに電流センサ１３が配置される。電流センサ１３は、経路Ｌ２において、コンデンサＣ１と直列接続され、交流成分の信号に対応した電圧信号を発生する電流センサである。電流センサ１３は、例えば、ホール素子および磁気コアを用いたセンサである。例えば、経路Ｌ２が磁気コアを貫通するように磁気コアを配置することで、磁気コアに経路Ｌ２を流れる電流に応じた磁界が発生する。そして、ホール素子が、当該磁界中に置かれることで、当該磁界（つまり経路Ｌ２を流れる電流）に応じた電圧を発生する。このとき、磁気コアを貫通する経路Ｌ２には、コンデンサＣ１によって直流成分が流れにくいため、当該直流成分によって磁気コアに磁気飽和が生じにくく、電流センサ１３のダイナミックレンジを広げることができる。このように、例えば、ホール素子等の電流センサ１３が用いられることで、精度良く電流を検出することができる。
【００４２】
また、コンデンサＣ１と電流センサ１３とが直列接続された回路が接続されるグランドは、電力変換器５０が接続されたグランドとは電気的に絶縁されたグランドである。これにより、電流センサ１３と電力変換器５０とは電気的に絶縁されることになる。したがって、電力変換器５０において発生するノイズ成分が電流センサ１３に伝わりにくくなるため、伝送路Ｌ１において発生するアークをより正確に検出できる。
【００４３】
（実施の形態２）
次に、実施の形態２に係るアーク検出回路について、図４を用いて説明する。
【００４４】
図４は、実施の形態２に係るアーク検出回路１０ａが適用されたシステムの一例を示す構成図である。
【００４５】
アーク検出回路１０ａは、さらに、ダイオードＤ１を備える点が、実施の形態１に係るアーク検出回路１０と異なる。その他の点は、実施の形態１におけるものと同じであるため説明を省略する。
【００４６】
アーク検出回路１０ａは、経路Ｌ２において、コンデンサＣ１および抵抗Ｒ１と直列接続されたダイオードＤ１を備える。また、実施の形態２では、コンデンサＣ１、抵抗Ｒ１およびダイオードＤ１が直列接続された回路は、電力変換器５０に並列に接続されている。つまり、実施の形態２におけるシステムの構成は、図１で説明したシステムにさらにダイオードＤ１を追加した構成となっている。
【００４７】
経路Ｌ２において、伝送路Ｌ１側から伝送路Ｌ３側に向けて、コンデンサＣ１、抵抗Ｒ１、ダイオードＤ１の順序でこれらは配置される。つまり、ダイオードＤ１のアノードは、伝送路Ｌ１側に接続され、カソードは、伝送路Ｌ３側に接続される。具体的には、ダイオードＤ１のアノードは、抵抗Ｒ１に接続され、カソードは、伝送路Ｌ３に接続されている。なお、コンデンサＣ１、抵抗Ｒ１およびダイオードＤ１が配置される順序は図４に示される順序に限らず、どのような順序で配置されてもかまわない。なお、ダイオードＤ１が伝送路Ｌ１側に接続される場合、ダイオードＤ１の性能によっては伝送路Ｌ１を介して印加、入力される電圧、電流に耐えられないおそれがある。さらに、ダイオードＤ１の向きによっては、逆方向電流が生じて破損するおそれがある。このため、コンデンサＣ１、抵抗Ｒ１およびダイオードＤ１は、図４に示されるように配置されることが好ましい。
【００４８】
上述したように、電力変換器５０は、直流電力を交流電力に変換する際のノイズを発生したり、アークが発生している信号が入力された場合、当該アーク成分をノイズとして発生したりする。実施の形態１における一例では、経路Ｌ２を、電力変換器５０が接続されたグランドとは電気的に絶縁されたグランドに落とすことで、抵抗Ｒ１と電力変換器５０とを電気的に絶縁し、抵抗Ｒ１が上記ノイズ成分の影響を受けないようにした。実施の形態２では、ダイオードＤ１を設けることで、電力変換器５０のノイズ成分がダイオードＤ１によって経路Ｌ２へ進入しにくくなり、抵抗Ｒ１が上記ノイズ成分の影響を受けないようにすることができる。したがって、伝送路Ｌ１において発生するアークをより正確に検出できる。
【００４９】
なお、コンデンサＣ１、抵抗Ｒ１およびダイオードＤ１が直列接続された回路は、電力変換器５０が接続されたグランドとは電気的に絶縁されたグランドに接続されていてもよい。つまり、実施の形態２におけるシステムの構成は、図２で説明したシステムにさらにダイオードＤ１を追加した構成となっていてもよい。この場合、グランドからのノイズ成分がダイオードＤ１によって経路Ｌ２へ進入しにくくなり、抵抗Ｒ１が上記ノイズ成分の影響を受けないようにすることができる。
【００５０】
（実施の形態３）
実施の形態３では、アーク検出回路１０、１０ａの適用例について説明する。
【００５１】
図５は、各実施の形態に係るアーク検出回路１０、１０ａの適用例を説明するための図である。
【００５２】
上述したように、アーク検出回路１０、１０ａは、例えば、太陽光パネル３１から伝送路Ｌ１を介して供給される直流電力を、電力変換器５０により構成されるパワーコンディショナ（パワコン）５１で交流電力に変換するシステムに適用される。本適用例では、３つの太陽光パネル３１が１つのストリング６０によって直列に接続されたものが３つ並べられて、太陽電池アレイ３０を形成している。各ストリング６０は、接続箱４０によってまとめられて、パワコン５１へ接続される。
【００５３】
例えば、ストリング６０毎にブレーカ４１が設けられており、ここでは、接続箱４０内にブレーカ４１が設けられている。なお、ブレーカ４１は、接続箱４０内に設けられなくてもよい。例えば、ブレーカ４１は、接続箱４０と太陽電池アレイ３０との間に設けられていてもよいし、ストリング６０毎に設けられず接続箱４０とパワコン５１との間に設けられていてもよい。
【００５４】
太陽光パネル３１は、例えば、太陽光パネル３１から出力される信号の変換を行う、太陽光パネル付属モジュール３２を有する。なお、太陽光パネル３１は、太陽光パネル付属モジュール３２を有していなくてもよい。太陽光パネル付属モジュール３２は、例えば、太陽光パネル３１毎の発電量を最適化するＤＣ／ＤＣコンバータである。
【００５５】
例えば、ブレーカ４１がアーク検出回路１０、１０ａを備えていてもよい。この場合、伝送路Ｌ１は、ブレーカ４１に接続された伝送路（例えばストリング６０）となり、アークが発生したストリング６０に流れる電流を遮断することができる。例えば、アーク判定部１１が、アークが発生したと判定することで、ブレーカ４１は、アークが発生したストリング６０に流れる電流を遮断する。アークが発生していないストリング６０については、電流を遮断せずに使用することができる。
【００５６】
また、例えば、パワコン５１がアーク検出回路１０、１０ａを備えていてもよい。この場合、パワコン５１内で経路Ｌ２におけるコンデンサＣ１と抵抗Ｒ１とが直列接続された回路が、電力変換器５０が接続されたグランドとは電気的に絶縁されたグランドに接続されたり、アーク検出回路１０と電力変換器５０とが並列接続されたり、当該直列接続された回路が、電力変換器５０と並列に接続されたりする。また、伝送路Ｌ１は、パワコン５１に接続された伝送路となり、アークの発生に応じてパワコン５１を停止することができる。例えば、アーク判定部１１が、アークが発生したと判定することで、パワコン５１は停止する。
【００５７】
また、例えば、太陽光パネル３１または太陽光パネル付属モジュール３２がアーク検出回路１０、１０ａを備えていてもよい。この場合、伝送路Ｌ１は、太陽光パネル３１に接続された伝送路（例えばストリング６０）となり、アークが発生したストリング６０への出力を停止することができる。例えば、アーク判定部１１が、アークが発生したと判定することで、太陽光パネル３１または太陽光パネル付属モジュール３２は、アークが発生したストリング６０への出力を停止する。アークが発生していないストリング６０については、出力を停止せずに使用することができる。
【００５８】
また、例えば、接続箱４０がアーク検出回路１０、１０ａを備えていてもよい。この場合、伝送路Ｌ１は、接続箱４０に接続された伝送路（例えばストリング６０）となり、例えばブレーカ４１等を介して、アークが発生したストリング６０に流れる電流を遮断することができる。例えば、アーク判定部１１が、アークが発生したと判定することで、接続箱４０は、アークが発生したストリング６０に流れる電流を遮断する。アークが発生していないストリング６０については、電流を遮断せずに使用することができる。
【００５９】
なお、アーク検出回路１０、１０ａは、上記システムに限らず、アークの発生の検出が必要なシステム全般に適用できる。また、ブレーカ４１、パワコン５１、太陽光パネル３１、太陽光パネル付属モジュール３２または接続箱４０は、比較例に係るアーク検出回路１００を備えていてもよい。
【００６０】
このように、ブレーカ４１は、アーク検出回路１０、１０ａを備えていてもよい。また、パワーコンディショナ５１は、アーク検出回路１０、１０ａを備えていてもよい。また、太陽光パネル３１は、アーク検出回路１０、１０ａを備えていてもよい。また、太陽光パネル付属モジュール３２は、アーク検出回路１０、１０ａを備え、太陽光パネルから出力される信号の変換を行ってもよい。また、接続箱４０は、アーク検出回路１０、１０ａを備え、太陽光パネル３１とパワーコンディショナ５１とを接続してもよい。
【００６１】
（その他の実施の形態）
以上、実施の形態に係るアーク検出回路１０等について説明したが、本発明は、上記実施の形態に限定されるものではない。
【００６２】
上記実施の形態に係るアーク検出回路１０、１０ａは、マイコンによってソフトウェア的に実現されたが、パーソナルコンピュータなどの汎用コンピュータにおいてソフトウェア的に実現されてもよい。さらに、アーク検出回路１０は、Ａ／Ｄ変換器、論理回路、ゲートアレイ、Ｄ／Ａ変換器等で構成される専用の電子回路によってハードウェア的に実現されてもよい。
【００６３】
その他、各実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【符号の説明】
【００６４】
１０、１０ａ、１００  アーク検出回路
１１  アーク判定部
１２  フィルタ部
３１  太陽光パネル
３２  太陽光パネル付属モジュール
４０  接続箱
４１  ブレーカ
５０  電力変換器
５１  パワーコンディショナ（パワコン）
Ｃ１  コンデンサ
Ｌ１、Ｌ３  伝送路
Ｌ２  経路
Ｒ１  抵抗
【図１】
2019208027.tif 000003
【図２】
2019208027.tif 000004
【図３】
2019208027.tif 000005
【図４】
2019208027.tif 000006
【図５】
2019208027.tif 000007
【国際調査報告】
2019208027.tif 000008
2019208027.tif 000009
2019208027.tif 000010
2019208027.tif 000011